(57)【要約】【課題】雄側コネクタと雌側コネクタの嵌合力が高く、かつ組付性が良いコネクタ構造を得る。【解決手段】ワイヤ４４の張力を増大させた状態で雄側コネクタ１２と雌側コネクタ１４を嵌合させ、雄側コネクタ１２と雌側コネクタ１４を互いに押し付けるようにすることで、雄側コネクタ１２を雌側コネクタ１４に嵌め込んだだけの場合と比較して、雄側コネクタ１２と雌側コネクタ１４の嵌合力を向上させることができる。また、雄側コネクタ１２と雌側コネクタ１４を嵌合させる際、雌側コネクタ１４を雄側コネクタ１２の挿入部１８へ向かって手で押すワンタッチ作業のため、工具は不要である。また、雄側コネクタ１２を雌側コネクタ１４に嵌合させた後に雄側コネクタ１２と雌側コネクタ１４の嵌合力を向上させるためバネ部材などを用いる場合と比較して、組付性が良い。【選択図】図１
2010123419.tif 000002
【特許請求の範囲】
【請求項１】
雄側コネクタと、前記雄側コネクタと嵌合可能な雌側コネクタと、を備え、
前記雌側コネクタに設けられ張力が作用する張力部材と、
前記雄側コネクタ及び前記雌側コネクタに設けられ、前記雌側コネクタと前記雄側コネクタを嵌合させる際、前記張力部材の張力を増大させて前記雄側コネクタと前記雌側コネクタを嵌合方向へ互いに押し付け合う張力付与手段と、
を有するコネクタ構造。
【請求項２】
一端面にフランジ部が設けられた雄側コネクタと、前記雄側コネクタの挿入部が挿入可能な挿入孔が形成された取付部材の前記挿入孔の周辺部に前記フランジ部が当接した状態で、前記雄側コネクタの挿入部と嵌合可能な雌側コネクタと、を備え、
前記雌側コネクタに設けられ張力が作用する張力部材と、
前記雄側コネクタ及び前記雌側コネクタに設けられ、前記雌側コネクタと前記雄側コネクタを嵌合させる際、前記張力部材の張力を増大させて前記雄側コネクタと前記雌側コネクタを嵌合方向へ互いに押し付けて雄側コネクタと雌側コネクタとで前記取付部材を挟持する張力付与手段と、
を有するコネクタ構造。
【請求項３】
前記張力付与手段が、
前記雄側コネクタの外壁に設けられ、前記雌側コネクタと前記雄側コネクタを嵌合させるとき、前記雌側コネクタに形成された貫通孔から露出して前記張力部材が掛止される雄側爪部と、
前記雄側コネクタの外壁に設けられ、前記雌側コネクタと前記雄側コネクタを嵌合させるとき、前記雌側コネクタと前記雄側コネクタの相対移動方向に沿って前記張力部材を移動させる突起部と、
前記雌側コネクタの外壁に設けられ、前記雄側コネクタと前記雌側コネクタが嵌合した状態で高さ方向の位置が前記雄側爪部と異なり、前記突起部によって前記張力部材が掛止され、前記雄側爪部との間で前記張力部材の張力を増大させる雌側爪部と、
を含んで構成された請求項１又は２に記載のコネクタ構造。
【請求項４】
前記雌側コネクタの外壁に断面略Ｌ字状に形成され、前記外壁との間に設けられた隙間内に前記張力部材を挿入し保持する保持部を有する請求項３に記載のコネクタ構造。
【請求項５】
前記フランジ部と前記取付部材との間の隙間を埋めるシール部材がフランジ部に設けられた請求項２〜４の何れか１項に記載のコネクタ構造。
【請求項６】
前記取付部材の前記挿入孔の外側に形成された係止孔と、前記フランジ部に設けられ前記係止孔に係止される係止爪と、を有する請求項２〜５の何れか１項に記載のコネクタ構造。
【発明の詳細な説明】
【技術分野】
【０００１】
本発明は、雌側コネクタと雄側コネクタとが嵌合された状態で接続されるコネクタ構造に関する。
【背景技術】
【０００２】
コネクタ構造は、例えば、樹脂製の雄側コネクタと雌側コネクタとからなっており、これらの一方に爪部を形成し、他方に該爪部が係止される孔部などの被係止部を形成している。この被係止部に爪部が係止されることで、雄側コネクタと雌側コネクタが嵌合する。
【０００３】
しかしながら、樹脂製の爪部の場合、金属製の爪部を用いた場合と比較して、雄側コネクタと雌側コネクタの嵌合力は弱くなってしまう。このため、爪部の係止力（嵌合力）を高くする必要があるが、嵌合力を向上させるには、雄側コネクタと雌側コネクタとの間で爪部のガタを小さくする必要があり、組付性が悪化し、また、爪部が破損してしまうおそれも生じる。
【０００４】
一方、雄側コネクタと雌側コネクタをボルトで締結させることで、雄側コネクタと雌側コネクタの嵌合力を向上させることができる。しかし、ボルトによる締結の場合、ドライバなどの工具を使ってボルト締めを行うため、作業時間が長く、組付性が悪い。
【０００５】
このため、特許文献１に記載の発明では、コネクタ構造を構成する一方のハウジングに、一端が回転自在に取り付けられた線状のバネ部材を設け、一方のハウジングへ他方のハウジングを嵌め込んだ後、このバネ部材に形成された屈曲部を他方のハウジングに設けられたボスに引っ掛けるようにしている。
【０００６】
そして、この状態で、バネ部材には、付勢力が蓄積された状態となるようにしており、バネ部材の復元力によって、ボスを介して一対のハウジングを互いに結合する方向に押圧し、嵌合力を向上させるようにしている。
【特許文献１】特開平１０−２２１５５９号公報
【発明の開示】
【発明が解決しようとする課題】
【０００７】
しかしながら、この特許文献１に記載の発明では、ハウジング同士を嵌合させた後、バネ部材をボスに引っ掛けなければならず、作業性があまり良くない。
【０００８】
本発明は、上記事実を考慮し、雄側コネクタと雌側コネクタの嵌合力が高く、かつ組付性が良いコネクタ構造を得ることが目的である。
【課題を解決するための手段】
【０００９】
請求項１に記載のコネクタ構造は、雄側コネクタと、前記雄側コネクタと嵌合可能な雌側コネクタと、を備え、前記雌側コネクタに設けられ張力が作用する張力部材と、前記雄側コネクタ及び前記雌側コネクタに設けられ、前記雌側コネクタと前記雄側コネクタを嵌合させる際、前記張力部材の張力を増大させて前記雄側コネクタと前記雌側コネクタを嵌合方向へ互いに押し付け合う張力付与手段と、を備えている。
【００１０】
請求項１に記載のコネクタ構造では、雄側コネクタと雌側コネクタとが嵌合可能とされており、雌側コネクタには、張力が作用する張力部材を設けている。また、雄側コネクタ及び雌側コネクタには張力付与手段を設けており、この張力付与手段によって、雌側コネクタと雄側コネクタを嵌合させる際、張力部材の張力を増大させて雄側コネクタと雌側コネクタを互いに押し付け合う。
【００１１】
請求項１に記載のコネクタ構造によれば、雄側コネクタと雌側コネクタが嵌合した状態では、張力部材の張力によって雄側コネクタと雌側コネクタを嵌合方向へ互いに押し付け合う力が作用するため、雄側コネクタを雌側コネクタに嵌め込んだだけの場合と比較して、雄側コネクタと雌側コネクタの嵌合力を向上させることができる。
【００１２】
また、雌側コネクタと雄側コネクタを嵌合させる動作に伴って張力部材の張力を増大させ、この状態で雄側コネクタと雌側コネクタが嵌合されるため、雄側コネクタと雌側コネクタを嵌合させた後、雄側コネクタと雌側コネクタの嵌合力を向上させるためにバネ部材などを用いる場合と比較して、組付性が良い。
【００１３】
つまり、請求項１に記載のコネクタ構造によれば、雄側コネクタと雌側コネクタの嵌合力が高く、かつ組付性が良い。
【００１４】
請求項２に記載のコネクタ構造は、一端面にフランジ部が設けられた雄側コネクタと、前記雄側コネクタの挿入部が挿入可能な挿入孔が形成された取付部材の前記挿入孔の周辺部に前記フランジ部が当接した状態で、前記雄側コネクタの挿入部と嵌合可能な雌側コネクタと、を備え、前記雌側コネクタに設けられ張力が作用する張力部材と、前記雄側コネクタ及び前記雌側コネクタに設けられ、前記雌側コネクタと前記雄側コネクタを嵌合させる際、前記張力部材の張力を増大させて前記雄側コネクタと前記雌側コネクタを嵌合方向へ互いに押し付けて雄側コネクタと雌側コネクタとで前記取付部材を挟持する張力付与手段と、を有している。
【００１５】
請求項２に記載のコネクタ構造では、請求項１に記載のコネクタ構造に加え、雄側コネクタの一端面にフランジ部を設けている。一方、雄側コネクタが取付けられる取付部材には、雄側コネクタの挿入部が挿入可能な挿入孔が形成されており、該挿入孔の周辺部には雄側コネクタのフランジ部が当接する。そして、雄側コネクタと雌側コネクタが嵌合した状態で、雄側コネクタと雌側コネクタを嵌合方向へ互いに押し付けて雄側コネクタと雌側コネクタとで取付部材を挟持する。
【００１６】
請求項２に記載のコネクタ構造によれば、雄側コネクタと雌側コネクタの嵌合力を高くして、取付部材の挟持力を向上させることができる。
【００１７】
請求項３に記載のコネクタ構造は、請求項１又は２に記載のコネクタ構造において、前記張力付与手段が、前記雄側コネクタの外壁に設けられ、前記雌側コネクタと前記雄側コネクタを嵌合させるとき、前記雌側コネクタに形成された貫通孔から露出して前記張力部材が掛止される雄側爪部と、前記雄側コネクタの外壁に設けられ、前記雌側コネクタと前記雄側コネクタを嵌合させるとき、前記雌側コネクタと前記雄側コネクタの相対移動方向に沿って前記張力部材を移動させる突起部と、前記雌側コネクタの外壁に設けられ、前記雄側コネクタと前記雌側コネクタが嵌合した状態で高さ方向の位置が前記雄側爪部と異なり、前記突起部によって前記張力部材が掛止され、前記雄側爪部との間で前記張力部材の張力を増大させる雌側爪部と、を含んで構成されている。
【００１８】
請求項３に記載のコネクタ構造では、張力付与手段が、雄側コネクタの外壁に設けた雄側爪部と、雄側コネクタの外壁に設けた突起部と、雌側コネクタの外壁に設けた雌側爪部と、を備えている。
【００１９】
雌側コネクタと雄側コネクタを嵌合させるとき、雄側爪部は、雌側コネクタに形成された貫通孔から露出し、雄側爪部には張力部材が掛止される。また、雌側コネクタと雄側コネクタを嵌合させるとき、突起部は、雌側コネクタと雄側コネクタの相対移動方向に沿って張力部材を移動させ、雌側爪部には、突起部によって移動させた張力部材が掛止されるようにしている。
【００２０】
ここで、雄側コネクタと雌側コネクタが嵌合した状態で、雄側爪部と雌側爪部とは高さ方向の位置が異なるようにしており、雌側爪部に張力部材が掛止された状態で、雄側爪部との間で張力部材の張力を増大させるようにしている。
【００２１】
請求項４に記載のコネクタ構造は、請求項３に記載のコネクタ構造において、前記雌側コネクタの外壁に断面略Ｌ字状に形成され、前記外壁との間に設けられた隙間内に前記張力部材を挿入し保持する保持部を有している。
【００２２】
請求項４に記載のコネクタ構造では、雌側コネクタの外壁に断面略Ｌ字状の保持部を形成し、外壁との間に設けられた隙間内に張力部材を挿入して該張力部材を保持するようにしている。これにより、雌側コネクタから張力部材が落下しないようにしている。
【００２３】
請求項５に記載のコネクタ構造は、請求項２〜４の何れか１項に記載のコネクタ構造において、前記フランジ部に前記フランジ部と前記取付部材との間の隙間を埋めるシール部材がフランジ部に設けられている。
【００２４】
請求項５に記載のコネクタ構造では、フランジ部と取付部材との間の隙間を埋めるシール部材をフランジ部に設けることで、雄側コネクタと雌側コネクタとで取付部材を挟持した状態でフランジ部と取付部材との間がシールされるためシール性も高く、フランジ部と取付部材の間に別途シール部材を設ける必要がなく、作業性が良い。
【００２５】
請求項６に記載のコネクタ構造は、請求項２〜５の何れか１項に記載のコネクタ構造において、前記取付部材の前記挿入孔の外側に形成された係止孔と、前記フランジ部に設けられ前記係止孔に係止される係止爪と、を有している。
【００２６】
請求項６に記載のコネクタ構造では、取付部材の挿入孔の外側に係止孔を形成し、フランジ部には係止孔に係止される係止爪を設けている。これにより、取付部材に雄側コネクタを仮止めさせた状態で雄側コネクタと雌側コネクタを嵌合させることができる。
【発明の効果】
【００２７】
請求項１〜３に記載のコネクタ構造によれば、雄側コネクタと雌側コネクタの嵌合力が高く、かつ組付性が良い。
【００２８】
請求項４に記載のコネクタ構造によれば、張力部材が雌側コネクタから落下しないようすることができる。
【００２９】
請求項５に記載のコネクタ構造によれば、雄側コネクタと雌側コネクタとで取付部材を挟持した状態でフランジ部と取付部材との間がシールされるためシール性も高く、フランジ部と取付部材の間に別途シール部材を設ける必要がなく、作業性が良い。
【００３０】
請求項６に記載のコネクタ構造によれば、取付部材に雄側コネクタを仮止めさせた状態で雄側コネクタと雌側コネクタを嵌合させることができるため、作業性が良い。
【発明を実施するための最良の形態】
【００３１】
次に、本実施形態に係るコネクタ構造について説明する。このコネクタ構造は、例えば、車両（自動車）の部品等において適用されるものであるが、車両の部品以外にも電気的結合を有するものであれば適用可能である。
【００３２】
図１には、本実施形態に係るコネクタ構造１０を構成する雄側コネクタ１２及び雌側コネクタ１４が斜視図にて示されており、雄側コネクタ１２と雌側コネクタ１４の間には、ダッシュボードやフロアパネル等の取付部材１６が配置されている。この取付部材１６には、矩形状の挿入孔１６Ａが形成されており、挿入孔１６Ａの短辺側の外側には、それぞれ係止孔１６Ｂが形成されている。なお、ここでは、挿入孔１６Ａの短辺側に係止孔１６Ｂが形成されているが、長辺側に係止孔１６Ｂが形成されていても良い。
【００３３】
（雄側コネクタ）
まず、雄側コネクタ１２について説明する。
図１及び図２（図２は、それぞれ図１の２−２矢視図である）に示すように、雄側コネクタ１２は略四角柱状を成しており、取付部材１６の挿入孔１６Ａ内へ挿入可能な挿入部１８を備えている。挿入部１８の基部（挿入部１８の挿入孔１６Ａ内への挿入方向の後端部）には、挿入部１８の外壁から外側へ向かって張り出す長方形状のフランジ部２０が挿入部１８の全周に渡って設けられており、挿入孔１６Ａの周辺部に当接可能な大きさとされている。
【００３４】
挿入部１８の内部には、格子状に配列された複数の端子２２が配置されている。この端子２２は、挿入部１８の深さ方向に沿って設けられており、端子２２の一端部（挿入部１８の基部側）には、信号線２４がそれぞれ接続されている。
【００３５】
挿入部１８の短辺側の両外壁の略中央部には、挿入部１８の先端部（挿入部１８の挿入孔１６Ａ内への挿入方向の先端部）から基部側へ行くにしたがって徐々に外側へ向かって突出する、断面が略三角形状の爪部（雄側爪部）２６が設けられており、爪部２６の底辺部２６Ａがフランジ部２０と略平行となるように形成されている。ここで、底辺部２６Ａの高さは、後述するワイヤ４４の直径と略同等である。
【００３６】
また、挿入部１８の長辺側の両外壁の、挿入部１８の基部側中央には、挿入部１８の先端側を開口とする略Ｕ字状の突起部２８が設けられており、突起部２８の内側には、後述する雌側コネクタ１４の爪部（雌側爪部）３０が挿入可能とされている。
【００３７】
一方、フランジ部２０の表面（挿入部１８側の面）の短辺側には、取付部材１６に形成された係止孔１６Ｂに係止可能な係止爪３２がそれぞれ立設している。なお、ここでは、フランジ部２０の短辺側に係止爪３２が立設しているが、フランジ部２０の長辺側に係止爪３２が立設されていても良く、係止爪３２と係止孔１６Ｂとは互いに対応する位置に形成される。係止爪３２の先端部には、先端部から基部側へ向かって徐々に外側へ向かって突出する、断面が略三角形状の爪部３４が設けられている。爪部３４の底辺部３４Ａは、フランジ部２０と略平行となるように形成されており、係止孔１６Ｂの周辺部に当接可能とされている。
【００３８】
また、フランジ部２０の表面には、フランジ部２０の周縁部に沿ってゴム材などによって形成されたシール材３６が設けられている。
【００３９】
（雌側コネクタ）
次に、雌側コネクタ１４について説明する。
図１及び図２に示すように、雌側コネクタ１４は略箱状を成しており、雌側コネクタ１４内には雄側コネクタ１２の挿入部１８が挿入可能としている。雌側コネクタ１４の内部には、格子状に配列された複数の収容部１５が設けられており、該収容部１５内には雄側コネクタ１２の端子２２が収容可能とされている。この収容部１５には信号線３８がそれぞれ接続されており、収容部１５内に端子２２が収容され雄側コネクタ１２と雌側コネクタ１４とが嵌合することで、信号線２４と信号線３８が電気的に接続されることとなる。
【００４０】
雌側コネクタ１４の短辺側の両外壁の中央部には、断面略Ｌ字状を成し、雌側コネクタ１４の底壁１４Ａ側から開口側へ向かって、該開口側を開口とする略Ｕ字状のワイヤ保持アーム（保持部）４０が設けられている。このワイヤ保持アーム４０の内側には、貫通孔４６が形成され、雄側コネクタ１２の爪部２６が挿入可能とされている。
【００４１】
ここで、ワイヤ保持アーム４０は、その奥壁４０Ａのみが雌側コネクタ１４の外壁と繋がっており、ワイヤ保持アーム４０の奥壁４０Ａ以外の部分は、外壁との間に隙間４２が設けられている。
【００４２】
ワイヤ保持アーム４０の自由端側内面には、円弧面４０Ｂが形成されており、雌側コネクタ１４の外壁とこの円弧面４０Ｂの間に、張力部材（狭義には線材である）としてのワイヤ４４が挿入される。円弧面４０Ｂは、このワイヤ４４の外径に合わせて形成されており、円弧面４０Ｂにワイヤ４４が接触した状態で、雌側コネクタ１４の外壁と円弧面４０Ｂとで、ワイヤ４４が挟持される。このとき、ワイヤ保持アーム４０には付勢力が蓄積されるようにしている。このため、ワイヤ保持アーム４０の復元力によって、ワイヤ４４は雌側コネクタ１４の外壁と円弧面４０Ｂとの間で保持される。
【００４３】
一方、雌側コネクタ１４の長辺側の両外壁の先端側の中央部には、雌側コネクタ１４の開口側から底壁１４Ａ側へ行くにしたがって徐々に外側へ向かって突出する、断面が略三角形状の爪部３０が設けられており、爪部３０の底辺部３０Ａが雌側コネクタ１４の底壁１４Ａと略平行となるように形成されている。ここで、底辺部３０Ａの高さは、ワイヤ４４の直径と略同等である。そして、この爪部３０は、前述したように、突起部２８の内側へ挿入可能となっている。
【００４４】
（コネクタ構造の作用）
次に、本実施形態に係るコネクタ構造の作用について説明する。
図３及び図５に示すように（図３及び図５は、それぞれ図１の３−３矢視図、５−５矢視図である）、取付部材１６の挿入孔１６Ａへ雄側コネクタ１２の挿入部１８を挿入する。
【００４５】
ここで、フランジ部２０が挿入孔１６Ａの周辺部に当接する前に、係止爪３２を係止孔１６Ｂ内へ挿入する。係止爪３２は、取付部材１６に形成された係止孔１６Ｂへ挿入可能な大きさとされているが、係止爪３２を係止孔１６Ｂへ挿入するとき、係止爪３２を内側へ撓ませた状態で係止孔１６Ｂ内へ挿入される。
【００４６】
このため、爪部３４が該係止孔１６Ｂを通過すると、係止爪３２が復元して自然状態となり、爪部３４の底辺部３４Ａが係止孔１６Ｂの周辺部に当接して係止爪３２が係止孔１６Ｂへ係止される。この状態で、雄側コネクタ１２が取付部材１６に仮止めされる。この状態で、シール材３６を介して、フランジ部２０が挿入孔１６Ａの周辺部に当接する。
【００４７】
次に、雄側コネクタ１２の挿入部１８へ雌側コネクタ１４を嵌合させる。雌側コネクタ１４を雄側コネクタ１２の挿入部１８へ嵌め込むとき、雄側コネクタ１２の爪部２６が雌側コネクタ１４の貫通孔４６を貫通し外部へ露出可能とされる。
【００４８】
ここで、雌側コネクタ１４の外壁には、ワイヤ保持アーム４０によってワイヤ４４が保持されている。雌側コネクタ１４の移動によって、爪部２６の表面をワイヤ４４が摺動することとなる。このとき、ワイヤ４４はワイヤ保持アーム４０の保持力によって移動規制され、雌側コネクタ１４の移動によって、ワイヤ４４と爪部２６との相対位置関係が変わり、図４及び図６に示すように（図３及び図５は、それぞれ図１の３−３矢視図、５−５矢視図である）、ワイヤ４４が爪部２６の底辺部２６Ａへ移動し底辺部２６Ａに掛止される。
【００４９】
一方、図３及び図５に示すように、雌側コネクタ１４を雄側コネクタ１２の挿入部１８へ嵌め込むとき、雄側コネクタ１２の突起部２８の両端部がワイヤ４４に当接し、雌側コネクタ１４の移動と共に、ワイヤ４４を雌側コネクタ１４の底壁１４Ａ側へ移動させる。これにより、雌側コネクタ１４の爪部３０の表面をワイヤ４４が移動することとなり、図４及び図６に示すように、ワイヤ４４は爪部３０の底辺部３０Ａへ移動し、底辺部３０Ａに掛止される。
【００５０】
ここで、雄側コネクタ１２と雌側コネクタ１４が嵌合した状態で、爪部３０の底辺部３０Ａと爪部２６の底辺部２６Ａとでは、雌側コネクタ１４の高さ方向で位置が異なるようにしている。このため、ワイヤ４４が爪部２６の底辺部２６Ａ及び爪部３０の底辺部３０Ａに掛止された状態で、ワイヤ４４にはその高低差分の張力が作用することとなる。
【００５１】
そして、ワイヤ４４が爪部２６の底辺部２６Ａ及び爪部３０の底辺部３０Ａに掛止された状態では、雄側コネクタ１２と雌側コネクタ１４とが嵌合した状態となる。このとき、取付部材１６とフランジ部２０の間でシール材３６が押し付けられ、取付部材１６とフランジ部２０との隙間が埋められる。
【００５２】
このように、ワイヤ４４の張力を増大させた状態で雄側コネクタ１２と雌側コネクタ１４を嵌合させ、雄側コネクタ１２と雌側コネクタ１４を互いに押し付けるようにすることで、雄側コネクタ１２を雌側コネクタ１４に嵌め込んだだけの場合と比較して、雄側コネクタ１２と雌側コネクタ１４の嵌合力を向上させることができる。また、雄側コネクタ１２と雌側コネクタ１４の嵌合力を高くすることで、取付部材１６の挟持力を向上させることができるため、取付部材１６とフランジ部２０とのシール性も向上する。
【００５３】
また、雄側コネクタ１２と雌側コネクタ１４を嵌合させる際、雌側コネクタ１４を雄側コネクタ１２の挿入部１８へ向かって手で押すワンタッチ作業のため、工具は不要である。また、雄側コネクタ１２を雌側コネクタ１４に嵌合させた後に雄側コネクタ１２と雌側コネクタ１４の嵌合力を向上させるためバネ部材などを用いる場合と比較して、組付性が良い。
【００５４】
さらに、ここでは、雄コネクタ１２に信号線２４を設け、雌コネクタ１４に信号線３８を設けて、取付部材１６の挿入孔１６Ａを介して、雄側コネクタ１２と雌側コネクタ１４を嵌合させることで、信号線２４と信号線３８を電気的に接続させることができる。つまり、１本の信号線を取付部材に貫通させる場合と比較して組付作業性が向上する。
【００５５】
ここで、ワイヤ４４の張力を利用した反力によって、雄側コネクタ１２と雌側コネクタ１４の嵌合力を向上させるため、ワイヤ４４の太さを変えることによって、必要な嵌合力の調整が可能である。また、爪部２６又は爪部３０からワイヤ４４を取り外すことで、雌側コネクタ１４と雄側コネクタ１２との嵌合状態を容易に解除させることもできる。
【００５６】
また、フランジ部２０の表面に、フランジ部２０の周縁部に沿ってシール材３６を取付け、雄側コネクタ１２と雌側コネクタ１４を嵌合させた状態で、取付部材１６とフランジ部２０の間でシール材３６が押し付けられ取付部材１６とフランジ部２０との隙間が埋められるようにすることで、取付部材１６とフランジ部２０との間のシール性も高く、取付部材１６とフランジ部２０の間に別途シール部材を設ける必要がなく、作業性が良い。
【００５７】
なお、本実施形態は、あくまでも一実施例であり、本発明の主旨を逸脱しない範囲内において適宜変更可能であることは言うまでもない。
【００５８】
例えば、本実施形態では、取付部材１６を用いたが、この取付部材１６は必ずしも必要ではなく、単に雄側コネクタ１２と雌側コネクタ１４を嵌合させる構造であっても良い。この場合、雄側コネクタ１２のフランジ部２０は必ずしも必要ではなくなる。また、本実施形態では、雄側コネクタ１２に雌側コネクタ１４を嵌め込んだが、雄側コネクタ１２と雌側コネクタ１４とは相対移動可能であるため、雌側コネクタ１４に雄側コネクタ１２を嵌め込んでも良い。
【図面の簡単な説明】
【００５９】
【図１】本実施の形態に係るコネクタ構造を示す分解斜視図である。
【図２】図１の２−２矢視図であり、コネクタ構造を構成する雌コネクタと雄コネクタを嵌合させる前の状態である。
【図３】図１の３−３矢視図であり、コネクタ構造を構成する雌コネクタと雄コネクタの嵌合途中の状態である。
【図４】図１の４−４矢視図であり、コネクタ構造を構成する雌コネクタと雄コネクタの嵌合させた状態である。
【図５】図１の５−５矢視図であり、コネクタ構造を構成する雌コネクタと雄コネクタの嵌合途中の状態である。
【図６】図１の６−６矢視図であり、コネクタ構造を構成する雌コネクタと雄コネクタの嵌合させた状態である。
【符号の説明】
【００６０】
１０      コネクタ構造
１２      雄側コネクタ
１４      雌側コネクタ
１６Ｂ    係止孔
１６      取付部材
１６Ａ    挿入孔
１８      挿入部
１８      フランジ部
２６      爪部（雄側爪部、張力付与手段）
２６Ａ    底辺部
２８      突起部（張力付与手段）
３０      爪部（雌側爪部、張力付与手段）
３２      係止爪
３６      シール材（シール部材）
４０      ワイヤ保持アーム（保持部）
４４      ワイヤ（張力部材）
４６      貫通孔
【図１】
2010123419.tif 000003
【図２】
2010123419.tif 000004
【図３】
2010123419.tif 000005
【図４】
2010123419.tif 000006
【図５】
2010123419.tif 000007
【図６】
2010123419.tif 000008